【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
組織へ物質を送達する動電学的なシステムであって、
あらかじめ決められた周波数の交流源と、
上記交流源の第１端子に接続された第１電極、および、上記交流源の第２端子に接続された第２電極と、
上記第１電極と上記交流源の第１端子との間に接続された整流回路とを備え、
上記第１電極および上記第２電極のうちの一つは、物質送達部位と電気的に接触するように適合されており、
上記第１電極および上記第２電極のうちの一つが、上記物質送達部位と電気的に接触したときに、上記整流回路によって整流された電流は、上記第１電極と上記第２電極との間の電流経路に流れることによって、上記組織へ薬物を送達することを特徴とする動電学的なシステム。
【請求項２】
上記物質送達部位は、動物の皮膚であることを特徴とする請求項１に記載のシステム。
【請求項３】
上記動物の皮膚は、ヒトの皮膚であることを特徴とする請求項２に記載のシステム。
【請求項４】
上記物質送達部位は、細胞膜であることを特徴とする請求項１に記載のシステム。
【請求項５】
上記物質送達部位は、粘膜であることを特徴とする請求項１に記載のシステム。
【請求項６】
上記交流源のあらかじめ決められた周波数は、約１００キロヘルツであることを特徴とする請求項１に記載のシステム。
【請求項７】
上記交流源のあらかじめ決められた周波数は、約１キロヘルツから１メガヘルツまでの間であることを特徴とする請求項１に記載のシステム。
【請求項８】
上記整流回路によって整流される電流の大きさは、約１ミリアンペア（ＲＭＳ）であることを特徴とする請求項１に記載のシステム。
【請求項９】
上記整流回路によって整流される電流の大きさは、約１０マイクロアンペア（ＲＭＳ）から１ミリアンペア（ＲＭＳ）までの間であることを特徴とする請求項１に記載のシステム。
【請求項１０】
上記整流回路は、ダイオードであることを特徴とする請求項１に記載のシステム。
【請求項１１】
上記第１電極および上記第２電極のうちの一つは、物質を輸送する基質の電極を通じて障壁と電気的に接触していることを特徴とする請求項１に記載のシステム。
【請求項１２】
上記物質は薬物であることを特徴とする請求項１に記載のシステム。
【請求項１３】
組織へ物質を送達する動電学的なシステムであって、
あらかじめ決められた周波数の交流源と、
上記交流源の第１端子に接続された第１電極および第２電極と、上記交流源の第２端子に接続された第３電極と、
上記第１電極と上記交流源の第１端子との間に接続された第１整流回路と、上記第２電極と上記交流源の第１端子との間に接続された第２整流回路とを備え、
上記第１電極は、物質送達部位と電気的に接触するように適合されており、
上記第１電極が上記物質送達部位と電気的に接触した場合には、
上記第１整流回路によって整流された電流は、上記交流源によって発生された電流の第１サイクルの期間中、上記第１電極と上記第３電極との間の電流経路に流れることによって、上記組織へ物質の送達を行い、
上記第２整流回路によって整流された電流は、上記交流源によって発生された電流の第２サイクルの期間中、上記第２電極と上記第３電極との間の電流経路に流れることを特徴とする動電学的なシステム。
【請求項１４】
上記物質送達部位は、動物の皮膚であることを特徴とする請求項１３に記載のシステム。
【請求項１５】
上記動物の皮膚は、ヒトの皮膚であることを特徴とする請求項１４に記載のシステム。
【請求項１６】
上記物質送達部位は、細胞膜であることを特徴とする請求項１３に記載のシステム。
【請求項１７】
上記物質送達部位は、粘膜であることを特徴とする請求項１３に記載のシステム。
【請求項１８】
上記交流源のあらかじめ決められた周波数は、約１００キロヘルツであることを特徴とする請求項１３に記載のシステム。
【請求項１９】
上記交流源のあらかじめ決められた周波数は、約１キロヘルツから１メガヘルツまでの間であることを特徴とする請求項１３に記載のイオン導入システム。
【請求項２０】
上記第１整流回路によって整流される電流の大きさは、約１ミリアンペア（ＲＭＳ）であることを特徴とする請求項１３に記載のシステム。
【請求項２１】
上記第１整流回路によって整流される電流の大きさは、約１０マイクロアンペア（ＲＭＳ）から１ミリアンペア（ＲＭＳ）までの間であることを特徴とする請求項１３に記載のシステム。
【請求項２２】
上記第１整流回路および第２整流回路は、ダイオードであることを特徴とする請求項１３に記載のシステム。
【請求項２３】
上記第２電極の面積は、上記第１電極の面積よりも小さいことを特徴とする請求項１３に記載のシステム。
【請求項２４】
上記物質は薬物であることを特徴とする請求項１３に記載のシステム。
【請求項２５】
物質送達部位で物質を用意するステップと、
交流源からの電流を整流し、物質に整流された電流を流すことで、その物質を組織へ送達するステップとを、
含むことを特徴とする組織へ物質を送達する動電学的な方法。
【請求項２６】
上記物質送達部位は、動物の皮膚であることを特徴とする請求項２５に記載の方法。
【請求項２７】
上記動物の皮膚は、ヒトの皮膚であることを特徴とする請求項２６に記載の方法。
【請求項２８】
上記物質送達部位は、細胞膜であることを特徴とする請求項２５に記載の方法。
【請求項２９】
上記物質送達部位は、粘膜であることを特徴とする請求項２５に記載の方法。
【請求項３０】
上記交流源のあらかじめ決められた周波数は、約１００キロヘルツであることを特徴とする請求項２５に記載の方法。
【請求項３１】
上記交流源のあらかじめ決められた周波数は、約１キロヘルツから１メガヘルツまでの間であることを特徴とする請求項２５に記載の方法。
【請求項３２】
整流された電流の大きさは、約１ミリアンペア（ＲＭＳ）であることを特徴とする請求項２５に記載の方法。
【請求項３３】
整流された電流の大きさは、約１０マイクロアンペア（ＲＭＳ）から１ミリアンペア（ＲＭＳ）までの間であることを特徴とする請求項２５に記載の方法。
【請求項３４】
整流された電流は、ダイオードを使用して発生されることを特徴とする請求項２５に記載の方法。
【請求項３５】
上記物質は、薬物であることを特徴とする請求項２５に記載の方法。
【請求項３６】
物質送達部位において体内に物質を送達するシステムであって、
電流源と、
複数の電極と、
上記電流源と上記電極との間に接続されており、上記電極が上記体内に電気的に接触したときに、上記体内に上記物質を送達するための単方向の電流の流れが上記物質送達部位で維持され、双方向の電流の流れが上記体内の中で維持されるように、上記電極に電流を供給する回路と
を備えることを特徴とするシステム。
【請求項３７】
上記複数の電極は、処理電極と、対電極と、補助電極と、を含む少なくとも３つの電極を備えることを特徴とする請求項３６に記載のシステム。
【請求項３８】
個人的利用および体内への物質の自己投与に用いられる動電学的な物質送達装置であって、
個人による手動操作用のために形成された部分を少なくとも有する組み立て部品と、
上記組み立て部品内の内蔵タイプの電流源と、
上記電流源に接続されており、物質送達部位を上記体内に電気的に接触させるための処理電極と、対電極と、補助電極とを有する複数の電極と、
上記電極と上記電流源との間に接続されており、上記電極が上記体内に電気的に接触したときに、上記物質送達部位において上記体内に上記物質を送達するために、上記電極に電流を供給する回路と
を備えることを特徴とする動電学的な物質送達装置。
【請求項３９】
上記回路は、上記体内に上記物質を送達するための単方向の電流の流れが上記物質送達部位で維持されるように、上記電極に電流を供給することを特徴とする請求項３８に記載の動電学的な物質送達装置。
【請求項４０】
上記回路は、上記体内に上記物質を送達するための単方向の電流の流れが上記物質送達部位で維持され、双方向の電流の流れが上記体内の中で維持されるように、上記電極に電流を供給することを特徴とする請求項３８に記載の動電学的な物質送達装置。
【請求項４１】
バリア表面を介して物質を送達する動電学的な方法であって、
上記バリア表面上の物質送達部位において物質を用意するステップと、
電流源に接続されており、上記物質送達部位において上記バリア表面と電気的に接触するために適合された処理電極を含む複数の電極を上記バリア表面に電気的に接触するように配置するステップと、
上記電極が上記バリア表面に電気的に接触したときに、上記バリア表面に上記物質を送達するための単方向の電流の流れが上記物質送達部位で上記処理電極を通して維持され、双方向の電流の流れが上記バリア表面の中で維持されるように、上記電極に電流を供給するステップと
を備えることを特徴とする動電学的な方法。
【請求項４２】
上記物質送達部位は、動物の皮膚であることを特徴とする請求項３６または３７に記載のシステム。
【請求項４３】
上記物質送達部位は、動物の皮膚であることを特徴とする請求項３８〜４０のいずれか１項に記載の動電学的な物質送達装置。
【請求項４４】
上記物質送達部位は、動物の皮膚であることを特徴とする請求項４１に記載の動電学的な方法。
【請求項４５】
上記物質送達部位は、ヒトの皮膚であることを特徴とする請求項３６または３７に記載のシステム。
【請求項４６】
上記物質送達部位は、ヒトの皮膚であることを特徴とする請求項３８〜４０のいずれか１項に記載の動電学的な物質送達装置。
【請求項４７】
上記物質送達部位は、ヒトの皮膚であることを特徴とする請求項４１に記載の動電学的な方法。
【請求項４８】
上記物質送達部位は、粘膜であることを特徴とする請求項３６または３７に記載のシステム。
【請求項４９】
上記物質送達部位は、粘膜であることを特徴とする請求項３８〜４０のいずれか１項に記載の動電学的な物質送達装置。
【請求項５０】
上記物質送達部位は、粘膜であることを特徴とする請求項４１に記載の動電学的な方法。
【請求項５１】
上記物質は、薬物を含むことを特徴とする請求項３６、３７、４２、４５、４８のいずれか１項に記載のシステム。
【請求項５２】
上記物質は、薬物を含むことを特徴とする請求項３８〜４０、４３、４６、４９のいずれか１項に記載の動電学的な物質送達装置。
【請求項５３】
上記物質は、薬物を含むことを特徴とする請求項４１、４４、４７、５０のいずれか１項に記載の動電学的な方法。
【請求項５４】
上記回路は、１つ以上の整流素子を備えることを特徴とする請求項３６、３７、４２、４５、４８、５１のいずれか１項に記載のシステム。
【請求項５５】
上記回路は、１つ以上の整流素子を備えることを特徴とする請求項３８〜４０、４３、４６、４９、５２のいずれか１項に記載の動電学的な物質送達装置。
【請求項５６】
上記回路は、１つ以上のダイオードを備えることを特徴とする請求項３６、３７、４２、４５、４８、５１のいずれか１項に記載のシステム。
【請求項５７】
上記回路は、１つ以上のダイオードを備えることを特徴とする請求項３８〜４０、４３、４６、４９、５２のいずれか１項に記載の動電学的な物質送達装置。
【請求項５８】
上記電流源は、交流源であることを特徴とする請求項３６、３７、４２、４５、４８、５１、５４、５６のいずれか１項に記載のシステム。
【請求項５９】
上記電流源は、交流源であることを特徴とする請求項３８〜４０、４３、４６、４９、５２、５５、５７のいずれか１項に記載の動電学的な物質送達装置。
【請求項６０】
上記電流源は、交流源であることを特徴とする請求項４１、４４、４７、５０、５３のいずれか１項に記載の動電学的な方法。
【請求項６１】
上記電流源は、約１００キロヘルツの周波数を持つ交流源であることを特徴とする請求項３６、３７、４２、４５、４８、５１、５４、５６のいずれか１項に記載のシステム。
【請求項６２】
上記電流源は、約１００キロヘルツの周波数を持つ交流源であることを特徴とする請求項３８〜４０、４３、４６、４９、５２、５５、５７のいずれか１項に記載の動電学的な物質送達装置。
【請求項６３】
上記電流源は、約１００キロヘルツの周波数を持つ交流源であることを特徴とする請求項４１、４４、４７、５０、５３のいずれか１項に記載の動電学的な方法。
【請求項６４】
上記電流源は、約１キロヘルツから１メガヘルツまでの周波数を持つ交流源であることを特徴とする請求項３６、３７、４２、４５、４８、５１、５４、５６のいずれか１項に記載のシステム。
【請求項６５】
上記電流源は、約１キロヘルツから１メガヘルツまでの周波数を持つ交流源であることを特徴とする請求項３８〜４０、４３、４６、４９、５２、５５、５７のいずれか１項に記載の動電学的な物質送達装置。
【請求項６６】
上記電流源は、約１キロヘルツから１メガヘルツまでの周波数を持つ交流源であることを特徴とする請求項４１、４４、４７、５０、５３のいずれか１項に記載の動電学的な方法。
【請求項６７】
上記補助電極は、上記処理電極よりも小さいことを特徴とする請求項３７に記載のシステム。
【請求項６８】
上記補助電極は、上記処理電極よりも小さいことを特徴とする請求項３８〜４０、４３、４６、４９、５２、５５、５７、５９、６２、６５のいずれか１項に記載の動電学的な物質送達装置。
【請求項６９】
上記電極はさらに、対電極と、補助電極と、を備えることを特徴とする請求項４１、４４、４７、５０、５３、６０、６３、６６のいずれか１項に記載の動電学的な方法。
【請求項７０】
上記単方向の電流の大きさは、約１ミリアンペア（ＲＭＳ）であることを特徴とする請求項３６、３７、４２、４５、４８、５１、５４、５６、５８、６１、６４、６７のいずれか１項に記載のシステム。
【請求項７１】
上記単方向の電流の大きさは、約１ミリアンペア（ＲＭＳ）であることを特徴とする請求項３８〜４０、４３、４６、４９、５２、５５、５７、５９、６２、６５、６８のいずれか１項に記載の動電学的な物質送達装置。
【請求項７２】
上記単方向の電流の大きさは、約１ミリアンペア（ＲＭＳ）であることを特徴とする請求項４１、４４、４７、５０、５３、６０、６３、６６、６９のいずれか１項に記載の動電学的な方法。
【請求項７３】
上記単方向の電流の大きさは、約１０マイクロアンペア（ＲＭＳ）から１ミリアンペア（ＲＭＳ）までの間であることを特徴とする請求項３６、３７、４２、４５、４８、５１、５４、５６、５８、６１、６４、６７のいずれか１項に記載のシステム。
【請求項７４】
上記単方向の電流の大きさは、約１０マイクロアンペア（ＲＭＳ）から１ミリアンペア（ＲＭＳ）までの間であることを特徴とする請求項３８〜４０、４３、４６、４９、５２、５５、５７、５９、６２、６５、６８のいずれか１項に記載の動電学的な物質送達装置。
【請求項７５】
上記単方向の電流の大きさは、約１０マイクロアンペア（ＲＭＳ）から１ミリアンペア（ＲＭＳ）までの間であることを特徴とする請求項４１、４４、４７、５０、５３、６０、６３、６６、６９のいずれか１項に記載の動電学的な方法。
【請求項７６】
上記電流源は、交流源を備え、
上記複数の電極は、上記交流源の第１端子に接続された第１および第２電極と、上記交流源の第２端子に接続された第３電極と、を備え、
上記回路は、上記第１電極と上記交流源の第１端子との間に接続された第１整流回路と、上記第２電極と上記交流源の第１端子との間に接続された第２整流回路とを備え、
上記第１電極は、上記物質送達部位と電気的に接触するように適合されており、
上記第１電極を含む電極が、上記体内と電気的に接触した場合には、
上記第１整流回路によって整流された電流は、上記交流源によって発生された電流の第１サイクルの期間中、上記第１電極と上記第３電極との間の電流経路に流れることによって、上記物質送達部位において上記体内へ上記物質の送達を行い、
上記第２整流回路によって整流された電流は、上記交流源によって発生された電流の第２サイクルの期間中、上記第２電極と上記第３電極との間の電流経路に流れることを特徴とする請求項３６に記載のシステム。
【請求項７７】
上記第１および第２の整流回路は、ダイオードであることを特徴とする請求項７６に記載のシステム。